(57)【要約】【課題】閉鎖時に面一に並設されたパネルを開放する際に、パネル同士が直接当接することなく引き違い状態となり開放可能なスライド扉を提供すること。【解決手段】サイドパネル４，５及びセンターパネル６を少なくとも１枚ずつ備えてその正面を面一に並設しているスライド扉３であって、直線状に形成されて互いに平行な固定レール２３，２４が少なくとも２本配置されており、サイドパネル４，５は、一方の固定レール２３，２４に左右方向に移動可能に支持され、センターパネル６は、センターパネル６を前後方向に移動可能とするコ字状フレーム３１及びガイドフレーム３６を介して他方の固定レール２３，２４に左右方向に移動可能に支持されており、スライド扉３の開放動作に連動してセンターパネル６を前後方向に移動させる連動装置２８，２８’を備える。【選択図】図２
2008248642.tif 000002
【特許請求の範囲】
【請求項１】
第１パネル及び第２パネルを少なくとも１枚ずつ備えてその正面が面一に並設されるスライド扉であって、
直線状に形成されて互いに平行な固定レールが少なくとも２本配置されており、前記第１パネルは、一方の固定レールに左右方向に移動可能に支持され、前記第２パネルは、該第２パネルを前後方向に移動可能に支持するパネル支持部材を介して他方の固定レールに左右方向に移動可能に支持されており、前記スライド扉の開放動作に連動して前記第２パネルを前後方向に移動させるパネル移動手段を備えることを特徴としているスライド扉。
【請求項２】
前記パネル移動手段には、前記スライド扉の閉鎖動作に連動して前記第２パネルの正面と前記第１パネルの正面とを、略面一にさせる向きに前記第２パネルを付勢する付勢手段が設けられていることを特徴とする請求項１に記載のスライド扉。
【請求項３】
前記第１パネルには、該第１パネルの左右方向の移動とともに動く連動部が設けられ、前記パネル移動手段は、前記連動部と連動する被連動部を有しており、該被連動部が、前記連動部の左右方向の移動に応じて前後方向に移動されることを特徴とする請求項１または２に記載のスライド扉。
【請求項４】
前記スライド扉の左右両端のそれぞれに前記第１パネルが配置されるとともに、該両第１パネルの間には、前記第２パネルが配置され、前記スライド扉の開放時には、前記第２パネルが背面方向に移動することを特徴とする請求項１ないし３のいずれかに記載のスライド扉。
【請求項５】
第１パネルの左右幅が第２パネルの左右幅よりも狭く形成されており、前記第２パネルには、左右方向の移動時に、前記第１パネルの左右方向の移動速度よりも遅い移動速度で前記第２パネルを左右方向に移動させる減速機構が設けられていることを特徴とする請求項４に記載のスライド扉。
【発明の詳細な説明】
【技術分野】
【０００１】
本発明は、什器の収納部を閉鎖する扉や、室内空間の仕切扉などに利用可能なスライド扉に関する。
【背景技術】
【０００２】
従来のスライド扉は、直線状に形成されて互いに平行な２本のレールを有し、一方が固定された固定レールで他方が前後に移動可能な可動レールであり、それぞれのレールには戸板が吊持されて、閉鎖時には、この戸板の正面が面一に並設されて見栄えを良くしている。このスライド扉を開放するには、可動レールに吊持された戸板を、戸板に取り付けられた把手を持って可動レールと戸板を一緒に手前に引き出すか、固定レールに吊持された戸板を押す、若しくは可動レールに吊持された戸板を押すことにより、斜めに重なり合った戸板同士の召し合わせ面同士が当接され、可動レールと戸板を手前に引き出すことで引き違い状態として構成されている（例えば、特許文献１参照）。
【０００３】
【特許文献１】特開２００６−１４４２２１号公報（第５頁、第２図）
【発明の開示】
【発明が解決しようとする課題】
【０００４】
しかしながら、特許文献１に記載のスライド扉にあっては、把手を持って可動レールと戸板を手前に引き出す場合は、一旦、可動レールと戸板を手前に引いて固定レールに吊持された戸板と引き違い状態とする動作と、戸板を左右方向に移動させることでスライド扉を開放する動作の２回の動作が必要である。また、固定レールに吊持された戸板を押す、若しくは可動レールに吊持された戸板を押す場合には、戸板を押すだけの１回の動作でスライド扉を開放することができるが、何度も戸板の開放と閉鎖を繰り返していると、摩擦により両戸板の召し合わせ面に傷等が生じるとともに、召し合わせ面同士の当接時に不快音が生じることがあり、スムーズな戸板の開放ができないという問題がある。
【０００５】
本発明は、このような問題点に着目してなされたもので、閉鎖時に面一に並設されたパネルを開放する際に、パネル同士が直接当接することなく引き違い状態となり開放可能なスライド扉を提供することを目的とする。
【課題を解決するための手段】
【０００６】
前記課題を解決するために、本発明の請求項１に記載のスライド扉は、
第１パネル及び第２パネルを少なくとも１枚ずつ備えてその正面が面一に並設されるスライド扉であって、
直線状に形成されて互いに平行な固定レールが少なくとも２本配置されており、前記第１パネルは、一方の固定レールに左右方向に移動可能に支持され、前記第２パネルは、該第２パネルを前後方向に移動可能に支持するパネル支持部材を介して他方の固定レールに左右方向に移動可能に支持されており、前記スライド扉の開放動作に連動して前記第２パネルを前後方向に移動させるパネル移動手段を備えることを特徴としている。
この特徴によれば、スライド扉の開放動作に連動して第１パネルと第２パネルとを引き違い状態とすることができ、第２パネルが第１パネルに当接することなくなり、第１パネルと第２パネルとが当接されることで生じる摩擦や傷や不快音等の発生を防止でき、スムーズなスライド扉の開放を行うことができる。
【０００７】
本発明の請求項２に記載のスライド扉は、請求項１に記載のスライド扉であって、
前記パネル移動手段には、前記スライド扉の閉鎖動作に連動して前記第２パネルの正面と前記第１パネルの正面とを、略面一にさせる向きに前記第２パネルを付勢する付勢手段が設けられていることを特徴としている。
この特徴によれば、スライド扉の開放時にパネル移動手段によって前後方向に移動され、第１パネルと非面一になった第２パネルを、スライド扉の閉鎖時に付勢手段による付勢によって自動的に、第２パネルが第１パネルと面一になる位置まで前後方向に移動させることができる。
【０００８】
本発明の請求項３に記載のスライド扉は、請求項１または２に記載のスライド扉であって、
前記第１パネルには、該第１パネルの左右方向の移動とともに動く連動部が設けられ、前記パネル移動手段は、前記連動部と連動する被連動部を有しており、該被連動部が、前記連動部の左右方向の移動に応じて前後方向に移動されることを特徴としている。
この特徴によれば、第１パネルに取り付けられている連動部が、パネル移動手段が有する被連動部を動作させて第２パネルを前後方向に移動させることができ、使用者がスライド扉の開放時に第１パネルを左右方向に移動させる動作だけで、第２パネルを前後方向に移動させて両パネルを引き違い状態にすることができる。
【０００９】
本発明の請求項４に記載のスライド扉は、請求項１ないし３のいずれかに記載のスライド扉であって、
前記スライド扉の左右両端のそれぞれに前記第１パネルが配置されるとともに、該両第１パネルの間には、前記第２パネルが配置され、前記スライド扉の開放時には、前記第２パネルが背面方向に移動することを特徴としている。
この特徴によれば、使用者は左右のどちらからでも前後方向に移動しない第１パネルを操作してスライド扉を開放できるようになり、第２パネルの前後移動が使用者に伝わることが無いので、使用者はスムーズにスライド扉を開放することができ、かつ第２パネルが第１パネルの背面側に隠蔽されるため、第２パネルの前後移動が目立たないようになる。
【００１０】
本発明の請求項５に記載のスライド扉は、請求項４に記載のスライド扉であって、
第１パネルの左右幅が第２パネルの左右幅よりも狭く形成されており、前記第２パネルには、左右方向の移動時に、前記第１パネルの左右方向の移動速度よりも遅い移動速度で前記第２パネルを左右方向に移動させる減速機構が設けられていることを特徴としている。
この特徴によれば、スライド扉の左右端部に配置されて左右方向の移動量が大きい第１パネルが相対的に速く動くようになり、第１パネルよりも左右方向の移動量が小さくて済む第２パネルの動きが第１パネルに連動したときに、両パネルの左右方向の移動開始から移動終了までの時間がほぼ同じになり、スライド扉の左右方向の移動動作を見映えよくすることができる。
【発明を実施するための最良の形態】
【００１１】
本発明に係るスライド扉を実施するための最良の形態を実施例に基づいて以下に説明する。
【実施例１】
【００１２】
本発明の実施例を図面に基づいて説明すると、先ず図１は、実施例１におけるスライド扉が取り付けられたキャビネットを示す斜視図であり、図２は、スライド扉を示す背面斜視図であり、図３は、センタパネル及び連動装置を示す平面図であり、図４は、センタパネルの背面に設けられた連動装置を示す背面図であり、図５は、図４におけるセンタパネルを示すＡ−Ａ縦断側面図であり、図６は、スライド扉が閉鎖している状態を示す概念平面図であり、図７は、左サイドパネルを開放する途中の状態を示す概念平面図であり、図８は、左サイドパネルを完全に開放した状態を示す概念平面図であり、図９は、右サイドパネルを開放する途中の状態を示す平面図である。以下、図３、図６、図７、図８、図９の紙面上側をスライド扉の正面側（前方側）とし、図５の紙面右側をスライド扉の正面側（前方側）として説明する。
【００１３】
図１の符号１は、キッチン等で利用されている食器等を収納しておくキャビネットであり、このキャビネット１の正面側の開口部２には、本発明のスライド扉３が開口部２を開放可能に閉鎖して設けられている。スライド扉３を構成する３枚のパネル４，５，６は、その正面が面一となるように左右方向に並設され、使用者は左右どちらからでもキャビネット１の開口部２を開放することができる。
【００１４】
図２に示すように、本実施例のスライド扉３は、左右に配置される本実施例における第１パネルとしての左サイドパネル４及び右サイドパネル５と、左サイドパネル４と右サイドパネル５間に配置される本実施例における第２パネルとしてのセンタパネル６とを有している。また、センタパネル６の背面上下端に取り付けられるとともに、左サイドパネル４及び右サイドパネル５にその左右端を延出して取り付けられている本実施例におけるパネル移動手段としての連動装置２８，２８’が設けられている。
【００１５】
次に、左サイドパネル４及び右サイドパネル５について説明する。尚、左サイドパネル４と右サイドパネル５の構成は同一につき、左サイドパネルを主に以下に説明する。図２に示すように、左サイドパネル４の形状は略矩形状の板体である。その右側端は正面から背面に向かってセンタパネル６から離れる方向に傾斜されたテーパ面７が形成されている（図６参照）。
【００１６】
また、左サイドパネル４の上面には、ライナ軸９と車輪１０から構成される２つのライナ８，８が取り付けられている。尚、図５に示すように、キャビネット１の天板２１の下面に左右方向に対して直線状に本実施例における固定レールとしてのサイド用レール２３及びセンタ用レール２４が取り付けられている。左サイドパネル４は、天板２１のサイド用レール２３内にライナ８，８の車輪１０，１０を係止させることで吊持されている。
【００１７】
尚、図２及び図５に示すように、サイド用レール２３及びセンタ用レール２４は、どちらも下方に開口するリップ２５，２５付きの側面視で略コ字状をなしている。このサイド用レール２３内に配置されたライナ８，８は、その車輪１０がリップ２５，２５上を走行可能になっており、左サイドパネル４が左右方向にスライド移動することができる。
【００１８】
更に、左サイドパネル４の下面には、背面方向に向かって板片１１が延出されて取り付けられているとともに、その後端は上方に向かって折曲されて係止片１２，１２が形成されている。この係止片１２，１２は、キャビネット１の底板２２下面に設けられたガイドレール２６内に摺動可能に係止されている。この係止片１２，１２によって後述するスライド扉３の動作時に左サイドパネル４の下方が前後に揺動されないようになっている。
【００１９】
図１に示すように、左サイドパネル４の正面左端及び右サイドパネル５の正面右端には、把手１３が取り付けられており、この把手１３を使用者が把持することにより、左サイドパネル４及び右サイドパネル５をスライド操作し易いようになっている。尚、特に図示はしないが、サイドパネル４，５の正面端部に溝条を形成して、その溝条を把手としてもよい。
【００２０】
図２に示すように、センタパネル６は略矩形状をなす板体であり、キャビネット１の開口部２を閉鎖している状態では、右サイドパネル５と左サイドパネル４との間に挟まれた状態で配置されている。また、センタパネル６の左右方向の長さは、サイドパネル４，５の左右方向の長さの略２倍程度となっている（図１参照）。また、センタパネル６の上面及び下面の左右端近傍には、背面方向より凹部１９，１９が形成されている。
【００２１】
センタパネル６背面の上下端には、スライド扉３の開放動作時にセンタパネル６を背面方向（後方向）に移動させる連動装置２８，２８’が設けられている。この連動装置２８，２８’は、センタパネル６の正面がサイドパネル４，５の背面よりも後方位置になるまでセンタパネル６を背面方向に移動させるようになっている。
【００２２】
また、連動装置２８，２８’の左右からは側面視でＬ字状の本実施例における連動部としての連結ロッド２９ａ，２９ｂがそれぞれ左右方向に延出されている。連結ロッド２９ａ，２９ｂ端部には、平面視Ｌ字状をなす取付金具３０ａ，３０ｂが取り付けられている（図６参照）。尚、取付金具３０ａ，３０ｂは、左サイドパネル４背面の上下左端及び右サイドパネル５背面の上下右端に螺着されている。
【００２３】
連動装置２８，２８’をより詳述すると、図３及び図４に示すように、連動装置２８，２８’は、センタパネル６の背面に螺着されて側面視で略コ字状をなすコ字状フレーム３１と（図５参照）、このコ字状フレーム３１の左右端に形成された長孔３２，３２に挿通されるスライド軸６４，６４と、内側面にガイドローラ５９ａ，５９ｂが設けられた本実施例における被連動部としての揺動金具５３ａ，５３ｂと、この揺動金具５３ａ，５３ｂが軸支された本実施例におけるパネル支持部材としてのガイドフレーム３６と、一端が取付金具３０ａ，３０ｂにより両サイドパネル４，５に螺着されて他端がガイドフレーム３６内に配置される連結ロッド２９ａ，２９ｂと、から構成されている。
【００２４】
尚、図３及び図５に示すように、コ字状フレーム３１の左右方向の長さは、センタパネル６の左右方向の長さとほぼ同じになるように形成されている。また、コ字状フレーム３１上下端からは、背面方向に水平に延びる水平板３４，３４が形成されている。
【００２５】
図５に示すように、ガイドフレーム３６は正面方向に対して開口する側面視で略コ字状に形成されている。図２に示すように、ガイドフレーム３６の左右端部は中央部よりも上下方向に長く形成されている。ガイドフレーム３６の左右端部の上方板は下方板よりも突出されており、センタパネル６の凹部１９，１９に係止可能な凸片４０，４０が形成されている。
【００２６】
また、ガイドフレーム３６の中央部の左右方向の長さは、コ字状フレーム３１に形成された水平板３４，３４の左右方向の長さと同一であり、上下方向の長さは、水平板３４，３４間にガイドフレーム３６の中央部が挿通可能となる長さに形成されている。
【００２７】
また、ガイドフレーム３６はセンタパネル６に螺着されたコ字状フレーム３１から背面位置に配置されており、センタパネル６の左右端部の凸片４０，４０の上面には、ライナ８，８が取り付けられている。このライナ８，８の車輪１０，１０をセンタ用レール２４内のリップ２５，２５に係止させることでガイドフレーム３６は吊持されており、ガイドフレーム３６を介してセンタパネル６が左右方向にスライド移動可能となっている。
【００２８】
図３及び図４に示すように、ガイドフレーム３６の左右端部には、それぞれに滑車軸４３が取り付けられている。この滑車軸４３には、滑車４４とラックギア４５が回動可能に軸支されている。左右の滑車４４，４４同士の間には無端状のワイヤーロープ５１が張られており、一方の滑車４４を回動させると、もう一方の滑車４４がワイヤーロープ５１により回動する減速機構５２を構成している。この減速機構５２を用いることで、キャビネット１の開口部２開放時に使用者が開ける左サイドパネル４若しくは右サイドパネル５の開放速度の半分の速度でセンタパネル６をスライド移動させることができる。
【００２９】
図３、図４、図５を参照して説明すると、揺動金具５３ａは、上下端から上板５５及び下板５６が形成された側面視で略コ字状をなし、上板５５及び下板５６から突出片５７，５７が突出している平面視で略Ｌ字状に形成されている。この上板５５の下面及び下板５６の上面には、回動軸５８，５８が設けられている。また、上板５５下面には、ガイドローラ５９ａが取り付けられている。
【００３０】
また、ガイドフレーム３６の中央部には、貫通孔６９，６９が形成されており、左方側の貫通孔６９には、揺動金具５３ａのガイドローラ５９ａが挿通されており、右方側の貫通孔６９には、揺動金具５３ｂのガイドローラ５９ｂが挿通されている。
【００３１】
更に、突出片５７，５７の内側面の先端には、スライド軸６４，６４が設けられている。コ字状フレーム３１の水平板３４，３４の左端背面方向には、左右方向に長い長孔３２，３２が形成され、この長孔３２にスライド軸６４，６４が挿通され、コ字状フレーム３１とガイドフレーム３６は揺動金具５３ａを介して連結されている。
【００３２】
尚、ガイドフレーム３６の背面と揺動金具５３ａの内側面間には、平面視で略Ｖ字状の本実施例における付勢手段としての板バネ７０が設けられている。この板バネ７０は、スライド扉３の閉鎖動作に連動してセンタパネル６の正面と両サイドパネル４，５の正面とを略面一にさせる向き、つまりセンタパネル６が正面方向（前方向）に移動させる向きに付勢するように設けられている。更に尚、右方側のガイドローラ５９ｂは揺動金具５３ｂの下板５６にとりつけられており、ガイドフレーム３６の下方に形成された貫通孔６９に挿通される。
【００３３】
これにより、コ字状フレーム３１が螺着されているセンタパネル６も間接的にガイドフレーム３６と連結されるので、センタパネル６は、センタ用レール２４に吊持されて左右方向にスライド可能な状態で、前後方向にも移動可能となっている。
【００３４】
また、連結ロッド２９ａは水平部８１と垂直部８２からなる側面視で略Ｌ字状をなし、ガイドフレーム３６内にその先端が配置されている。更に、連結ロッド２９ａの水平部８１の先端には、テーパ部８４が形成されている。水平部８１の先端は、それぞれガイドローラ５９ａに上下から挟まれるとともに、テーパ部８４をガイドローラ５９ａに当接できるようにしている。
【００３５】
尚、連結ロッド２９ａのもう一端は、取付金具３０ａに取り付けられており、左サイドパネル４の左右方向の移動とともに、連結ロッド２９ａが左右方向に移動可能になっている。また、連結ロッド２９ａの垂直部８２の下面は、減速機構５２のラックギア４５と噛合するラック部８３が形成されており、このラック部８３をラックギア４５に上方から噛合させている。
【００３６】
更に尚、背面視で右側の連結ロッド２９ｂは、背面視で左側の連結ロッド２９ａと同一構成となっており、右サイドパネル５の左右方向の移動とともに、連結ロッド２９ｂが左右方向に移動可能になっている。但し、連結ロッド２９ｂの垂直部８２に形成されたラック部８３は、ラックギア４５の下方から噛合ようにガイドフレーム３６内に配置されている。
【００３７】
尚、図２及び図５に示すように、センタパネル６の下端に取り付けられた連動装置２８’は、連動装置２８と略同一構成となっている。具体的には、ガイドフレーム３６の左右上面にライナ８，８が取り付けられておらず、代わりにガイドフレーム３６の下面から背面方向に向かって板片９０，９０が延出されて取り付けられているとともに、その後端は上方に向かって折曲されて係止片９１，９１が形成されている。この係止片９１，９１は、キャビネット１の底板２２下面に設けられたガイドレール２７内に摺動可能に係止されており、その他の構成は全て連動装置２８と同一の構成となっている。
【００３８】
次に、スライド扉３の動作について説明すると、図６に示すように、スライド扉３はキャビネット１の開口部２を閉鎖している。この閉鎖している状態から、図７に示すように、使用者が左サイドパネル４の把手１３を掴んで、左サイドパネル４を右方向にスライド移動させると、左サイドパネル４の連結ロッド２９ａが、ガイドローラ５９ａをテーパ部８４を背面方向に押し込む。ガイドローラ５９ａが背面方向に押し出されると、揺動金具５３ａは回動軸５８を軸に平面視で左回り方向に回動する。
【００３９】
そして、コ字状フレーム３１は揺動金具５３ａに連られて背面方向に移動される。このとき、揺動金具５３ａは回動しているので、スライド軸６４，６４は回動軸５８，５８を中心とした円弧状に動くが、スライド軸６４，６４が挿通されている長孔３２，３２が左右方向に長く形成されているため、スライド軸６４，６４が水平板３４，３４に対して左右方向に移動され、コ字状フレーム３１がスムーズに背面方向に移動される。
【００４０】
このように、左サイドパネル４に取り付けられた連結ロッド２９ａが、連動装置２８が有する揺動金具５３ａを動作させてセンタパネル６を背面方向に移動させることができ、使用者がスライド扉３の開放時に左サイドパネル４を右方向にスライド移動させるだけでセンタパネル６を背面方向に移動させて、左サイドパネル４とセンタパネル６を引き違い状態にすることができる。
【００４１】
また、センタパネル６に形成された凹部１９，１９に、ガイドフレーム３６に形成された凸片４０（図３参照）が係止されことにより、センタパネル６は開口部２の背面方向に移動される際に左右方向にずれないようになっている。尚、コ字状フレーム３１の上下に形成された水平板３４，３４は凹部１９，１９に凸片４０，４０がスムーズに係止されるようにガイドの役割を果たしている。
【００４２】
更に、連結ロッド２９ａは、センタパネル６を背面方向に移動させると同時に、垂直部８２に形成されたラック部８３でラックギア４５を回動させ、減速機構５２を動作させる。これにより、センタパネル６は背面方向に移動されるとともに、左サイドパネル４の移動速度の半分の移動速度で右方向にスライド移動される。
【００４３】
この減速機構５２の働きにより、スライド扉３の開放時の左右方向の移動量が大きい左サイドパネル４が速く動くようになり、左サイドパネル４よりも左右方向の移動量が小さくて済むセンタパネル６の動きが左サイドパネル４に連動したときに、左サイドパネル４とセンタパネル６の左右方向の移動時間（移動開始から移動終了までの時間）がほぼ同じになり、スライド扉３の動作時の見映えを向上させることができる。
【００４４】
更に、減速機構５２の動作と、左サイドパネル４がスライド移動される反力によって右サイドパネル５に取り付けられている連結ロッド２９ｂが、左方向からスライド移動されたガイドローラ５９ｂを先端に形成されたテーパ部８４によって背面方向に押し込む。ガイドローラ５９ｂが背面方向に押し出されると、揺動金具５３ｂは回動軸５８，５８を軸に平面視で右回り方向に回動する。
【００４５】
そして、図８に示すように、開口部２が開放された状態となると、開口部２の右側で左サイドパネル４の右端と右サイドパネル５の左端が当接し合う。センタパネル６は左サイドパネル４及び右サイドパネル５の背面方向に配置され、正面視では左サイドパネル４及び右サイドパネル５に隠蔽された状態となるので、スライド扉３開放時に見映えを向上させることができる。
【００４６】
また、揺動金具５３ａ，５３ｂとガイドフレーム３６間に取り付けられた板バネ７０，７０（図３参照）は、センタパネル６が正面方向に移動する方向に復元力を蓄えている。この復元力により、スライド扉３の開放時に背面方向に移動させられたセンタパネル６を、スライド扉３の閉鎖時に左サイドパネル４及び右サイドパネル５が左右方向に移動している位置までスライド移動させて、自動的に両サイドパネル４，５とセンタパネル６を略面一にさせることができる。
【００４７】
更に、図９に示すように、開口部２が閉鎖された状態から使用者が右サイドパネル５の把手１３を掴んで右サイドパネル５を左方向にスライド移動させる場合は、前述の左サイドパネルの把手１３を掴んで右方向にスライド移動させる場合の連結ロッド２９ａ，２９ｂの動作が左右逆となる。
【００４８】
つまり、右サイドパネル５を左方向にスライド移動させると、先ず右サイドパネル５に取り付けられている連結ロッド２９ｂが、その先端に形成されたテーパ部８４でガイドローラ５９ｂを背面方向に押し込むことで、揺動金具５３ｂを平面視で右回り方向に回動させて、センタパネル６を背面方向に移動させる。そして、連結ロッド２９ｂは、センタパネル６を背面方向に移動させると同時に、垂直部８２に形成されたラック部８３でラックギア４５を回動させ、減速機構５２を動作させる。
【００４９】
同時に、減速機構５２の動作と、右サイドパネル５がスライド移動される反力によって左サイドパネル４に取付金具３０ａを介して取り付けられている連結ロッド２９ａが、その先端に形成されたテーパ部８４でガイドローラ５９ａを背面方向に押し込むことでセンタパネル６を背面方向に移動させる。
【００５０】
そして、開口部２が開口された状態となると、両サイドパネル４，５及びセンタパネル６の位置が開口部２の左端に配置され、左サイドパネル４の右端と右サイドパネル５の左端が当接し合うとともに、その背面方向にはセンタパネル６が配置される。
【００５１】
尚、スライド扉３の動作をセンタパネル６の背面上端に取り付けられた連動装置２８を用いて説明したが、センタパネル６の背面下端に取り付けられた連動装置２８’もスライド扉３の開放動作時には、連動装置２８と同一の動作をする。この動作によりセンタパネル６は両サイドパネル４，５と当接することなく背面方向に移動し、互いに引き違い状態となる。そのためセンタパネル６、両サイドパネル４，５間には、摩擦や不快音が生じることなくスムーズなスライド扉の開放をすることができる。
【００５２】
また、スライド扉３の左右両端のそれぞれにサイドパネル４，５が配置されるとともに、両サイドパネル４，５の間には、センタパネル６が配置されていることで、使用者は左右のどちらからでも前後方向に移動しないサイドパネル４，５を操作してスライド扉３を開放できるようになり、センタパネル６の前後移動が使用者に伝わることが無いので、使用者はスムーズにスライド扉３を開放することができる。更に、スライド扉３の開放時には、センタパネル６が背面方向に移動することで、センタパネル６が両サイドパネル４，５の背面側に隠蔽されるため、センタパネル６の前後移動が目立たないようになる。
【実施例２】
【００５３】
次に、実施例２に係るスライド扉３ａにつき、図１０を参照して説明する。尚、前記実施例に示される構成部分と同一構成部分に付いては同一符号を付して重複する説明を省略する。図１０は、実施例２におけるスライド扉３ａを完全に開放した状態を示す概念平面図である。以下、図１０の紙面上側をスライド扉３ａの正面側（前方側）として説明する。
【００５４】
図１０に示すように、実施例２におけるスライド扉３ａは、実施例１のスライド扉３ａと異なり右サイドパネル５ａがキャビネット１の筐体の一部として固着されている。実施例２におけるスライド扉３ａは、左サイドパネル４（第１パネル）の左右方向のスライド移動のみでセンタパネル６（第２パネル）を引き違い状態としてスライド扉３ａを開放状態とする２枚のパネル４，６による構成となっている。
【００５５】
スライド扉３ａを開放する際には、実施例１と同じく、使用者が左サイドパネル４の正面に取り付けられた把手１３を掴んで、左サイドパネル４を右方向にスライド移動させる。すると、連結ロッド２９ａ（連結部）のテーパ部８４がガイドローラ５９ａを背面方向に押し込まれて、揺動金具５３ａ，５３ｂ（被連動部）が背面方向に移動するとともに、センタパネル６が背面方向（後方向）に移動される。そして、センタパネル６を背面方向に移動させると同時に、減速機構５２の動作により、センタパネル６は右方向に左サイドパネル４の半分の速度でスライドする。
【００５６】
左サイドパネル４を右方向にスライド移動させてスライド扉３ａの開放を完了させると、センタパネル６は左サイドパネル４及び右サイドパネル５ａの背面方向に配置され、正面視では、左サイドパネル４と右サイドパネル５ａに隠蔽された状態となる。
【００５７】
尚、スライド扉３ａを閉鎖させる際には、使用者が把手１３を掴んで左方向に左サイドパネル４をスライド移動させると、揺動金具５３ａ，５３ｂとガイドフレーム３６（パネル支持部材）の間に取り付けられた板バネ７０，７０（実施例１の図３参照）の復元力によってセンタパネル６は、左サイドパネル４及び右サイドパネル５ａと面一となる位置まで正面方向（前方向）に移動するようになっている。
【実施例３】
【００５８】
次に、実施例３に係るスライド扉３ｂにつき、図１１を参照して説明する。尚、前記実施例に示される構成部分と同一構成部分に付いては同一符号を付して重複する説明を省略する。図１１は、実施例３におけるスライド扉３ｂを示す概念平面図である。以下、図１１の紙面上側をスライド扉３ｂの正面側（前方側）として説明する。
【００５９】
図１１に示すように、実施例３におけるスライド扉３ｂは、左サイドパネル４（第１パネル）とセンタパネル６（第２パネル）の２枚のパネルから構成され、左右両側から開放可能となっており、左サイドパネル４の背面に取り付けられた１本の連結ロッド２９ｃ（連結部）のみでセンタパネル６を背面方向（後方向）に移動させるように構成されている。
【００６０】
センタパネル６の背面に取り付けられた連動装置２８’’（パネル移動手段）のガイドフレーム３６’（パネル支持部材）の上面左右方向の中央には、背面方向から貫通孔６９’が形成されている。また、ガイドフレーム３６’とコ字状フレーム３１’とは、移動金具５３ｃ（被連動部）によって連結されており、この移動金具５３ｃは、ガイドフレーム３６’に対して相対的に前後移動可能となっている。尚、移動金具５３ｃは、上板５５と下板（図示略）が正面方向（前方向）に延出され、側面視でコ字状となっている。
【００６１】
移動金具５３ｃの上板５５と下板（図示略）の左右端の貫通孔６７，６７には、軸部６４’，６４’が挿通され、この軸部６４’，６４’は、コ字状フレーム３１’から背面方向に延出されている水平板３４に固着されており、移動金具５３ｃとコ字状フレーム３１’とを互いに連結している。また、移動金具５３ｃには、ガイドローラ５９ｃが取り付けられており、ガイドフレーム３６’の背面側に形成されている貫通孔６９’に挿設されている。
【００６２】
尚、ガイドフレーム３６’と移動金具５３ｃとの間には、コイルバネ７０’（付勢手段）が設けられている。コイルバネ７０’は、移動金具５３ｃをガイドフレーム３６’に近づける方向に付勢するようになっており、コイルバネ７０’の付勢力によって、センタパネル６が左サイドパネル４と面一になるように正面方向（前方向）に移動される。
【００６３】
尚、特に図示はしないが、左サイドパネル４は、その上端に取り付けられたライナによりサイド用レール（固定レール）に吊持されている。また、ガイドフレーム３６’の上端に取り付けられたライナがセンタ用レール（固定レール）に吊持されており、センタパネル６は、ガイドフレーム３６’を介してセンタ用レールに吊持されている。
【００６４】
左スライドパネル４を右方向にスライド移動させてスライド扉３ｂを開放する際には、使用者が左スライドパネル４の把手１３を掴んで左スライドパネル４を右方向にスライド移動させると、連結ロッド２９ｃがガイドローラ５９ｃを背面方向に押し込むようになり、移動金具５３ｃが背面方向（後方向）に移動されるとともに、センタパネル６が背面方向（後方向）に移動され、左サイドパネル４とセンタパネル６とが引き違い状態となる。
【００６５】
尚、センタパネル６を左方向にスライド移動させてスライド扉３ｂを開放する際には、使用者がセンタパネル６の把手１３を掴んだ状態で、センタパネル６を背面方向（後方向）に押し込み、そのまま背面方向に力を加えたまま左方向にセンタパネル６をスライド移動させることで開放できる。
【００６６】
更に尚、ガイドフレーム３６’と移動金具５３ｃとの間に設けられたコイルバネ７０’、は、センタパネル６が背面方向に移動した際に延びて復元力を蓄える。この復元力により、コイルバネ７０’は、スライド扉３ｂを閉鎖する際に、センタパネル６を左サイドパネル４と面一となるように付勢して、センタパネル６を正面方向（前方向）に自動的に移動させる。
【００６７】
以上、本発明の実施例を図面により説明してきたが、具体的な構成はこれら実施例に限られるものではなく、本発明の要旨を逸脱しない範囲における変更や追加があっても本発明に含まれる。
【００６８】
例えば、前記実施例では、連動装置２８をセンタパネル６の背面上下端に取り付けたが、センタパネル６に取り付ける連動装置２８の数及び位置は、前記実施例に限られず、例えばセンタパネル６の背面の中央に１つの連動装置２８を取り付けるようにしてもよい。
【００６９】
また、前記実施例では、左サイドパネル４、センタパネル６、右サイドパネル５の３枚のパネルからスライド扉３を構成したが、例えば左サイドパネル４と右サイドパネル５の間に複数枚のセンタパネル６を配置した構成にしてもよい。
【００７０】
更に、前記実施例では、キッチン等で利用されている食器等を収納しておくキャビネット１に本発明のスライド扉３が適用されていたが、本発明のスライド扉３はキャビネット１に限ることなく、その他の書棚等の什器に設けられる扉や、室内空間の仕切扉などにも利用可能となっている。
【００７１】
尚、前記実施例では、第２パネルとしてのセンタパネル６が、スライド扉３の開放時に背面方向（後方向）に移動することで、第１パネルとしてのサイドパネル４，５と引き違い状態になる構成としていたが、センタパネル６が、スライド扉３の開放時に正面方向（前方向）に移動することで、サイドパネル４，５と引き違い状態になる構成としてもよい。
【００７２】
また、前記実施例では、連結ロッド２９ａ，２９ｂのラック部８３が、滑車４４のラックギア４５に噛合されることで、連結ロッド２９ａ，２９ｂの動作が間接的にワイヤーロープ５１に伝達されて減速機構５２が動作するようになっているが、その他の動作手段により減速機構５２を動作させてもよく、例えば、連結ロッド２９ａ，２９ｂの先端部をワイヤーロープ５１に対して連結部材等により連結させ、連結ロッド２９ａ，２９ｂの動作を直接的にワイヤーロープ５１に伝達することで、減速機構５２が動作するようにしてもよい。
【図面の簡単な説明】
【００７３】
【図１】実施例１におけるスライド扉が取り付けられたキャビネットを示す斜視図である。
【図２】スライド扉を示す背面斜視図である。
【図３】センタパネル及び連動装置を示す平面図である。
【図４】センタパネルの背面に設けられた連動装置を示す背面図である。
【図５】図４におけるセンタパネルを示すＡ−Ａ縦断側面図である。
【図６】スライド扉が閉鎖している状態を示す概念平面図である。
【図７】左サイドパネルを開放する途中の状態を示す概念平面図である。
【図８】左サイドパネルを完全に開放した状態を示す概念平面図である。
【図９】右サイドパネルを開放する途中の状態を示す概念平面図である。
【図１０】実施例２におけるスライド扉を完全に開放した状態を示す概念平面図である。
【図１１】実施例３におけるスライド扉を示す概念平面図である。
【符号の説明】
【００７４】
１                キャビネット
３，３ａ，３ｂ    スライド扉
４                左サイドパネル（第１パネル）
５，５ａ          右サイドパネル（第１パネル）
６                センタパネル（第２パネル）
７                テーパ面
２３              サイド用レール（固定レール）
２４              センタ用レール（固定レール）
２８，２８’      連動装置（パネル移動手段）
２８’’            連動装置（パネル移動手段）
２９ａ，２９ｂ    連結ロッド（連結部）
２９ｃ            連結ロッド（連結部）
３１，３１’      コ字状フレーム
３６，３６’      ガイドフレーム（パネル支持部材）
４５              ラックギア
５１              ワイヤーロープ
５２              減速機構
５３ａ，５３ｂ    揺動金具（被連動部）
５３ｃ            移動金具（被連動部）
５８              回動軸
５９ａ，５９ｂ    ガイドローラ
５９ｃ            ガイドローラ
７０              板バネ（付勢手段）
７０’            コイルバネ（付勢手段）
８３              ラック部
８４              テーパ部
【図１】
2008248642.tif 000003
【図２】
2008248642.tif 000004
【図３】
2008248642.tif 000005
【図４】
2008248642.tif 000006
【図５】
2008248642.tif 000007
【図６】
2008248642.tif 000008
【図７】
2008248642.tif 000009
【図８】
2008248642.tif 000010
【図９】
2008248642.tif 000011
【図１０】
2008248642.tif 000012
【図１１】
2008248642.tif 000013